(57)【要約】【課題】  ドループをより低減させる。【解決手段】  書き込み制御部（レーザ制御装置）１０は、ＬＤ（レーザ光源）１４の非点灯時（オフセット発光時）に印加するバイアス電流として、ＬＤ１４に電流値が繰り返し変化する電流を印加する。このとき、上記バイアス電流の最大電流値が、ＬＤ１４の閾値電流を超えないようにするとよい。あるいは、上記バイアス電流の最大電流値を、感光体ドラムに書き込まれた画像を現像した際に地汚れを発生しない最大の一定バイアス電流値Ｉｂより大きくするとよい。この場合、上記バイアス電流の電流値の時間積分値を、上記一定バイアス電流値Ｉｂの時間積分値と等しくするとよい。【選択図】        図２
2014037119.tif 000002
【特許請求の範囲】
【請求項１】
レーザ光源に印加する電流を制御するレーザ制御装置であって、
前記レーザ光源の非点灯時に印加するバイアス電流として、前記レーザ光源に電流値が繰り返し変化する電流を印加することを特徴とするレーザ制御装置。
【請求項２】
前記バイアス電流の最大電流値は、前記レーザ光源の閾値電流を超えないことを特徴とする請求項１に記載のレーザ制御装置。
【請求項３】
請求項１又は２に記載のレーザ制御装置において、
前記レーザ光源の点灯直前に、前記バイアス電流の電流値を最大にすることを特徴とするレーザ制御装置。
【請求項４】
請求項１から３のいずれか一項に記載のレーザ制御装置と、
該レーザ制御装置によって印加電流を制御されるレーザ光源と、
前記レーザ光源が出力するレーザ光を偏向させて走査対象物を走査する走査手段とを備えた光走査装置。
【請求項５】
請求項４に記載の光走査装置により感光体を走査して前記感光体に画像を書き込むことを特徴とする画像形成装置。
【請求項６】
レーザ光源に印加する電流を制御するレーザ制御方法であって、
前記レーザ光源の非点灯時に印加するバイアス電流として、前記レーザ光源に繰り返し電流値が変化する電流を印加することを特徴とするレーザ制御方法。
【発明の詳細な説明】
【技術分野】
【０００１】
この発明は、レーザ制御装置、そのレーザ制御装置からのレーザ光によって走査対象物を走査する光走査装置、その光走査装置を搭載した画像形成装置、およびレーザ制御方法に関する。
【背景技術】
【０００２】
従来から、レーザ光源から射出されるレーザ光を用いて走査対象物を走査する光走査装置が知られている。このような光走査装置は例えば、電子写真方式の画像形成において、レーザ光のオンオフを画像データに基づき制御しつつ、帯電させた感光体上を走査することより、感光体上に静電潜像を形成するために用いられる。
【０００３】
ところで、レーザ光源を駆動する際には、レーザ光源を直流点灯させた場合、その発熱による温度上昇によって光量が徐々に低下するドループ現象が発生することが知られている。また、その光量の低下（変化）を「ドループ」という。
そして、例えばレーザ光源を上記の電子写真方式の画像形成に用いる場合、ドループ現象を抑えるため、感光体を走査して画像を形成するタイミング以外でも、レーザ光源にバイアス電流（微少電流）を流す（印加する）技術が既に知られている。
【０００４】
また、例えば特許文献１には、ドループの低減とドループのライン毎のばらつきを抑えるため、ＬＤ点灯前にＬＤに印加するバイアス電流Ｉ１，Ｉ２を制御する（Ｉ１，Ｉ２の合計値Ｉａを一定にする）手法について開示されている。
【発明の概要】
【発明が解決しようとする課題】
【０００５】
しかしながら、上述したドループを抑えるためのバイアス電流の制御では、レーザ光源に印加するバイアス電流を増やすとドループは改善するが、増やしすぎると感光体が反応して地汚れを起こしてしまうトレードオフがあり、ドループを十分に抑えることができなかった。地汚れとは、感光体の地肌部へのトナー付着のことを云う。
また、特許文献１の記載の手法では、地汚れ防止のためにはバイアス電流Ｉ１，Ｉ２の合計値Ｉａを一定にするための制御の期間を長く取れないため、必ずしもＬＤの温度を十分上げられないから、ドループの低減が十分できなかった。
この発明は、上記の点に鑑みてなされたものであり、ドループをより低減させることを目的とする。
【課題を解決するための手段】
【０００６】
この発明は、上記の目的を達成するため、レーザ光源に印加する電流を制御するレーザ制御装置において、上記レーザ光源の非点灯時に印加するバイアス電流として、上記レーザ光源に電流値が繰り返し変化する電流を印加するようにしたものである。
【発明の効果】
【０００７】
以上のような構成によれば、ドループをより低減させることができる。
【図面の簡単な説明】
【０００８】
【図１】この発明の一実施形態であるレーザ制御装置を備えた光走査装置における光学系の概略的な構成例を示す斜視図である。
【図２】図１に示した光走査装置による画像書き込みを制御する書き込み制御部の構成例を示すブロック図である。
【図３】図２の書き込み制御部によるバイアス電流制御に関する波形図である。
【図４】図１に示した光走査装置を搭載した画像形成装置の機械構成の一例を示す模式図である。
【図５】比較例としての一般的なバイアス電流制御に関する波形図である。
【発明を実施するための形態】
【０００９】
以下、この発明を実施するための形態を図面に基づいて具体的に説明する。
図１は、この発明の一実施形態であるレーザ制御装置を備えた光走査装置における光学系の概略的な構成例を示す斜視図である。
この光走査装置において、光源２００のレーザダイオード（ＬＤ）から射出されたレーザ光は、偏向手段であるポリゴンミラー１０２ｃで偏向される。
【００１０】
光源２００のＬＤは、後述する書き込み制御部によって印加電流を制御されるレーザ光源である。ポリゴンミラー１０２ｃは、光源２００のＬＤが出力するレーザ光を偏向させて走査対象物で且つ像担持体である感光体ドラム１０４ａの表面を走査する走査手段である。
ポリゴンミラー１０２ｃは、図示しないポリゴンモータ（スピンドルモータ等）により回転駆動される。
【００１１】
ポリゴンミラー１０２ｃで偏向されたレーザ光は、ｆθレンズ１０２ｂを通過した後、反射ミラー（「折り返しミラー」ともいう）１０２ａによって反射される。そして、その反射ミラー１０２ａによって反射されたレーザ光は、図示しないＷＴＬレンズを通して整形された後、複数の反射ミラー１０２ｅ，１０２ｆによって順次反射される。その後、露光のために使用されるレーザ光Ｌとして、副走査方向に移動する感光体ドラム１０４ａの表面をポリゴンミラー１０２ｃにより主走査方向に反復走査（主走査）して露光する。
【００１２】
また、レーザ光の主走査方向の書き出しタイミング（「主走査画像書き出しタイミング」ともいう）を同期させるため、像担持体である感光体ドラム１０４ａ表面の主走査方向の画像領域外の端部（所定位置）に、フォトダイオードなどを含む同期検知手段である同期検知センサ２１０が配置されている。
【００１３】
この同期検知センサ２１０は、感光体ドラム１０４ａの表面に対するレーザ光の主走査方向の走査を開始する以前（主走査画像書き出し位置の直前）で、入射されるレーザ光を検出する。そして、レーザ光による感光体ドラム１０４ａ上での主走査方向の走査開始の基準となる（主走査画像書き出し位置を規定するための）同期検知信号を生成して出力し、光源２００のＬＤへの点灯／消灯の制御信号の生成処理などの処理を同期させる。
【００１４】
同期検知信号は、ポリゴンミラー１０２ｃにより偏向されたレーザ光が１主走査ラインを走査する毎に出力される。
光源２００のＬＤは、後述するＬＤドライバ（図２参照）から印加される電流により駆動され、画像データに応じて変調されたレーザ光を射出する。それによって、感光体ドラム１０４ａ上にレーザ光が照射されて露光が行われ、静電潜像が形成される。
【００１５】
図２は、図１に示した光走査装置による画像書き込みを制御する書き込み制御部の構成例を示すブロック図である。
この書き込み制御部１０は、図１の光源２００のＬＤ（レーザ光源）に印加する電流を制御するものであり、レーザ制御装置としての機能を有している。
この書き込み制御部１０は、制御部１１と、ＬＤドライバ１２と、記憶部１３とを備えている。
【００１６】
制御部１１は、図１の同期検知センサ２１０からの同期検知信号の入力タイミングに基づいて画像の書き込みを制御する。このとき、ＬＤ１４の点灯／消灯の制御信号を生成して、それをＬＤドライバ１２へ送る。
記憶部１３は、ＬＤ１４へ印加するバイアス電流値を記憶する記憶手段である。
ＬＤドライバ１２は、制御部１１からの制御信号に応じて、ＬＤ１４へ発光電流を印加して点灯させたり、その印加を停止して消灯させたりする。また、上述した画像領域外に対する走査時においても、記憶部１３に記憶されているバイアス電流値に相当する電流をＬＤ１４へ印加するように動作する。
【００１７】
図２では、記憶部１３を一つの外付け部品として図示しているが、記憶部１３は制御部１１の中に配置しても良いし、ＬＤドライバ１２に内蔵しても構わない。
制御部１１に記憶部１３がある場合には、制御部１１からＬＤドライバ１２に対してバイアス電流値の指示を出すことになる。
【００１８】
以下、書き込み制御部１０によるこの発明に直接関わる制御について図３を参照して具体的に説明するが、その説明に入る前に、理解の便宜のため、比較例の制御およびそれによる課題等について、図５を参照して説明する。なお、説明の都合上、図１および図２のハードウェア構成を前提として説明する。
図５は、比較例としての一般的なバイアス電流制御に関する波形図である。
【００１９】
この比較例において、上述したポリゴンミラー１０２ｃによる画像領域外等での画像のない部分（白画像部分）に対する走査時（ＬＤ１４の非点灯時）には、ＬＤドライバ１２がＬＤ１４に一定のバイアス電流値Ｉｂのバイアス電流を印加して（流して）オフセット発光状態にしておく。それによって、ＬＤ１４の温度をある程度に高めておき、画像領域での画像部分（黒画像部分等）に対する走査時（ＬＤ１４の点灯時）にＬＤ１４を点灯（以下「発光」ともいう）させたときとの温度差を小さくしておくことで、ドループを低減させてきた。
【００２０】
当然のことながら、ＬＤ１４の非点灯時（オフセット発光状態時）のバイアス電流ＩｂはＬＤ１４の閾値電流Ｉｔｈよりも小さく、且つその時のＬＤ１４の発光量であるオフセット発光量は、感光体ドラム１０４ａが反応することがない程度の発光量である。
ここで、閾値電流Ｉｔｈとは、ＬＤ１４のレーザ発振可能な最小電流（自然放出領域とレーザ発振領域の境界となる電流値）のことである。
【００２１】
また、感光体ドラム１０４が反応することがない程度とは、光を照射した部分にトナーが付着せず、静電潜像を現像した際に地汚れが発生しない程度を意味する。ＬＤは、閾値電流Ｉｔｈよりも低い電流値の電流であっても、電流に応じた自然放出をするし、自然放出領域とレーザ発振領域との境界自体、クリティカルなものではない。従って、閾値電流Ｉｔｈより低い電流値の電流を印加した場合であっても感光体ドラム１０４の電位に影響を与える程度のエネルギー放出をすることがあり得る。そこで、バイアス電流値Ｉｂはこれらを考慮して実験により適切な値を定める。
なお、ドループ防止を考慮すると、バイアス電流値Ｉｂはなるべく高い値とすることが好ましい。そこで、以下の説明では、バイアス電流値Ｉｂは、感光体ドラム１０４に書き込まれた画像を現像した際に地汚れを発生しない最大の一定バイアス電流値であるとする。
【００２２】
図５の（ａ）は、比較例のバイアス電流制御の様子を、同図の（ｂ）はそのバイアス電流制御でＬＤ１４を駆動した場合のＬＤ１４の発光量の変化をそれぞれ示している。
ＬＤドライバ１２は、ポリゴンミラー１０２ｃによる白画像部分（トナーを付着させない部分）に対する走査時には、バイアス電流値Ｉｂの電流でオフセット発光をさせておくことで、ＬＤ１４自身が既に発熱している。黒画像部分（黒に限らず、トナーを付着させる部分）に対する走査時には、ＬＤ１４に発光電流値Ｉηの電流を流すことで、閾値電流Ｉｔｈを上回り、狙いの光量でＬＤ１４を発光させる。ＬＤ１４は、大きな電流が流れることで一気に発熱するが、自己の温度が上限に達するまでには時間がかかるため、温度が高まるにつれて光量が下がり、ドループ現象となってしまう。図５の（ｂ）には、ＬＤ１４の温度が上昇することにより、ＬＤ１４の発光量が低下していく様子（ドループ）を示している。
【００２３】
ここで、「ドループ現象」とは、ＬＤ１４の発熱による温度上昇によって光量が低下する現象のことである。つまり、ＬＤ１４の発光開始時点では温度が低いために光量が大きいが、時間とともに発熱によって光量が小さくなる現象のことである。
したがって、ＬＤ１４の発光開始時点の温度を高めに維持しておけば、発光開始時点での光量が低温度時に比べて下がるので、その後に時間と共に光量が下がるが、下がりきる光量は同じために光量変化が小さくなる。つまり、ＬＤ１４の消灯時（オフセット発光時）と点灯開始時との温度差を小さくすると、ドループも小さくなる。
【００２４】
そこで、その温度差を小さくする（上述した課題を解消する）ための制御の実施例について説明する。
図３は、その実施例のバイアス電流制御に関する波形図である。
この実施例では、オフセット発光での発熱をより高い状態で維持することで、黒画像部分（黒に限らず、トナーを付着させる部分）に対する走査時のＬＤ１４の発光状態の発熱との差を小さくし、ドループを更に低減可能にしている。
【００２５】
例えば、図３の（ａ−１）では、制御部１１からの指示により、ＬＤドライバ１２がＬＤ１４に印加するバイアス電流の電流値として２つの値を設定できるようにし、ＬＤ１４のオフセット発光状態時にバイアス電流値を２つの値の間で繰り返し変化させる（ＬＤ１４に電流値が繰り返し変化するバイアス電流を印加する）ことで、ＬＤ１４の温度の蓄積を利用して、比較例よりも高い温度を維持することを示している。上記の「繰り返し変化」は、図３の（ａ−１）では変化の周期が一定であるが、多少ずれても構わない。
【００２６】
この実施例では、比較例のバイアス電流値Ｉｂよりも高いバイアス電流値Ｉｂ１（＝Ｉｂ＋α）と低い電流値Ｉｂ２（＝Ｉｂ−α）を使用する。ただし、地汚れを防ぐため、バイアス電流Ｉｂ１およびＩｂ２はどちらも閾値電流Ｉｔｈ以下にする必要がある。また、バイアス電流Ｉｂ１とＩｂ２の時間積分値が、比較例のバイアス電流Ｉｂの時間積分値と同等になるようにバイアス電流Ｉｂ１とＩｂ２を設定する。それによって、Ｉｂ１とＩｂ２をデューティ５０％で繰り返した場合、バイアス電流値の時間積分値はＩｂの時間積分値と等しくなる。よって、ＬＤ１４の瞬間的な発光量は大小を繰り返すが、感光体ドラム１０４ａへ与える積分エネルギーは比較例と同等となり、感光体ドラム１０４ａは反応せず、地汚れしない。つまり、白画像部でのトナー付着増による異常画像を防ぐことができる。
【００２７】
一般に、発熱体であるＬＤ１４は、電力（出力）が大きいほど温度の上昇速度が速い。同じ環境であれば、出力が２倍であれば温度も２倍の速さで上昇する。ＬＤ１４の温度は印加する電流値がＩｂのときよりもＩｂ１のときの方が高くまで、速く上昇する。Ｉｂ２では、温度は下降するものの、繰り返されるＩｂ１によって温度が蓄積され、高温を維持することとなる。これによって、発光時の温度との差が小さくなるので、ドループを低減することができる。
【００２８】
バイアス電流値がＩｂ１の時の発熱を利用してＬＤ１４の温度を高い位置で推移させるため、バイアス電流値Ｉｂ１とＩｂ２の繰り返しは短周期であることが望ましい。それは、長周期では、バイアス電流値がＩｂ２の時にＬＤ１４の温度が下がってしまい、効果が十分に得られないためである。
また、ＬＤドライバ１２が、黒画像部に対するＬＤ１４の発光直前のバイアス電流の値が、Ｉｂ１になる（最大になる）ように、あるいは比較例のバイアス電流の値Ｉｂよりも大きな値になるように制御することで、ＬＤ１４が高い温度へ推移した地点からＬＤ１４の発光へ移行することとなり、より大きな効果が期待できる。
【００２９】
このように、ＬＤ１４を比較例よりも高い温度でオフセット発光させることにより、図３の（ｂ）に示すように、ＬＤ１４の発光の立ち上がり時の発光量が抑えられ、上限温度へ達するまでの光量低下を小さくすることができる。
【００３０】
図３の（ａ−２）と（ａ−３）は、ＬＤ１４へのバイアス電流の印加方法の他の異なる例を示している。
ＬＤドライバ１２は、図３の（ａ−２）の例では、バイアス電流の電流値を、３値の間で繰り返し変化させている。
このように、バイアス電流の電流値が取る値は２値でなくて構わないし、３値より多くても構わない。以下の条件が満足されれば、何段階で変化させても構わない。
さらに、図３の（ａ−３）の例のように、無段階にバイアス電流の電流値を変化させても構わない。
【００３１】
すなわち、以下の条件を満たせば、バイアス電流の値の決め方は任意である。
（ａ）全ての時点で電流値が閾値電流Ｉｔｈ以下
（ｂ）電流値の時間積分値がバイアス電流値Ｉｂの時間積分値と等しい（完全に同じでなくても構わない）
（ｃ）設定する電流値のうち少なくとも一つ（最大値）は、バイアス電流値Ｉｂよりも大きい
【００３２】
また、バイアス電流を短周期で繰り返すことが望ましいとしたが、短周期の信号として既存の信号（例えば画素周波数）を利用することも想定できるし、別に繰り返しの条件を追加しても構わない。
【００３３】
図４は、以上説明したバイアス電流制御を行う光走査装置を搭載した画像形成装置の機械構成の一例を示す模式図である。但し、この画像形成装置はフルカラー画像形成を可能にするため、図１に示した光源２００および同期検知センサ２１０を含む各部（ポリゴンミラー１０２ｃを除く）は、各色毎に搭載されている。
この画像形成装置１００は、タンデム方式のデジタルカラー複写機，デジタルカラー複合機，カラーファクシミリ装置，カラープリンタ等の画像形成装置であり、次のように構成している。
【００３４】
すなわち、ブラック（Ｋ），シアン（Ｃ），マゼンタ（Ｍ），イエロー（Ｙ）の４色用のＬＤをそれぞれ有する光源２００や、ポリゴンミラー１０２ｃなどの光学要素を含む光走査装置１０２を備えている。また、Ｋ，Ｃ，Ｍ，Ｙの各色用の作像プロセス部１０４，１０６，１０８，１１０を有するカラー作像部１１２も備えている。更に、無端状の転写媒体（無端移動部材）である中間転写ベルト１１４などを含む転写部１２２も備えている。つまり、それらによってカラー画像形成部（カラー画像形成手段）を構成している。
【００３５】
カラー作像部１１２の各作像プロセス部１０４，１０６，１０８，１１０は、それぞれ感光体ドラム１０４ａ，１０６ａ，１０８ａ，１１０ａを備えている。また、それらの回りに配置された帯電手段である帯電器１０４ｂ，１０６ｂ，１０８ｂ，１１０ｂ、現像手段である現像器１０４ｃ，１０６ｃ，１０８ｃ，１１０ｃ、および転写手段を構成する１次転写ローラ１０４ｄ，１０６ｄ，１０８ｄ，１１０ｄ等を備えている。
【００３６】
光走査装置１０２は、レーザ光源として備えるＬＤに対して図３等を用いて説明したバイアス電流制御を行うマルチビーム走査手段である。そして、各光源２００のＬＤからそれぞれ射出される光ビームであるレーザ光を、ポリゴンミラー１０２ｃ（振動ミラー等の他の偏向手段を用いてもよい）により偏向させ、対応するｆθレンズ１０２ｂに入射させている。その各レーザ光は、この実施形態ではＫ，Ｃ，Ｍ，Ｙの各色にそれぞれ対応し、それぞれ対応するｆθレンズ１０２ｂを通過した後、対応する反射ミラー１０２ａによって反射する。
【００３７】
そして、その各レーザ光を、それぞれ対応するＷＴＬレンズ１０２ｄを通して整形した後、対応する複数の反射ミラー１０２ｅ，１０２ｆによって順次反射する。その後、露光のために使用するレーザ光Ｌとして各作像プロセス部の感光体ドラム１０４ａ，１０６ａ，１０８ａ，１１０ａの被走査面（以下単に「表面」ともいう）をポリゴンミラー１０２ｃにより主走査方向に反復走査（主走査）して露光する。
この露光により、各感光体ドラム１０４ａ，１０６ａ，１０８ａ，１１０ａの表面には、このレーザ光Ｌにより静電潜像が形成される。
【００３８】
そして、各現像器１０４ｃ，１０６ｃ，１０８ｃ，１１０ｃが対応する色のトナーによってその静電潜像を現像し、現像後の画像は、１次転写ローラ１０４ｄ，１０６ｄ，１０８ｄ，１１０ｄの位置で、矢示Ａ方向に移動する中間転写ベルト１１４上に順次重ね合わせて転写される。
その転写された画像は、搬送ローラ１１４ａと２次転写ベルト１１８により構成される２次転写部において、搬送ローラ１２６により供給されるシート上の記録媒体１２４に二次転写される。
【００３９】
そして、記録媒体１２４は、２次転写ベルト１１８の矢示Ｂ方向への回動によって定着装置１２０へ搬送され、定着装置１２０が記録媒体１２４とトナー画像とを共に加圧加熱して、そのトナー画像を記録媒体１２４に定着する。その定着後の記録媒体は、印刷物１３２として画像形成装置１００の外部へ排出される。
トナー画像を転写した後の中間転写ベルト１１４の表面は、クリーニングブレードを含むクリーニング部１１６により転写残留トナーが除去されて、次の画像形成プロセスに備える。
【００４０】
この実施形態によれば、以下の（ａ）〜（ｈ）に示す作用効果を得ることができる。
（ａ）光走査装置の書き込み制御部（レーザ制御装置）が、レーザ光源の非点灯時（オフセット発光時）に印加するバイアス電流として、レーザ光源に電流値が繰り返し変化する電流を印加する。それによって、レーザ光源の非点灯時と点灯時とでのレーザ光源の温度差が小さくなるため、ドループをより低減することができる。
（ｂ）上記バイアス電流の最大値を、レーザ光源の閾値電流を超えないようにする。そうすれば、レーザ光源がレーザ光を出力することがなく、白画像部でのトナー付着増による異常画像を防ぐことができる。
【００４１】
（ｃ）上記バイアス電流の最大値を、感光体ドラムに書き込まれた画像を現像した際に地汚れを発生しない最大の一定バイアス電流値Ｉｂより大きくする。そうすれば、レーザ光源の非点灯時の温度をより高くすることができる。
（ｄ）上記バイアス電流の時間積分値を、上記一定バイアス電流値Ｉｂの時間積分値と等しくする。そうすれば、レーザ光の発光量は感光体ドラムが反応することがない程度の発光量となり、白画像部でのトナー付着増による異常画像を防ぐことができる。
（ｅ）レーザ光源の点灯直前に、上記バイアス電流の電流値を最大にする。そうすれば、レーザ光源の非点灯時の温度をより一層高くすることができる。
【００４２】
（ｆ）レーザ光源の点灯直前に、上記バイアス電流の電流値を上記一定バイアス電流値Ｉｂよりも大きな値にする。そうすれば、（ｅ）と同様の効果を得ることができる。
（ｇ）（ａ）〜（ｆ）のいずれかの書き込み制御部を用いて光走査装置を制御することにより、高品質画像の書き込みを行うことができる。
（ｈ）画像形成装置に、（ｇ）の光走査装置を備えることにより、高品質画像の画像形成を行うことができる。
【００４３】
以上で実施形態の説明を終了するが、この発明において、各部の具体的な構成や動作態様等は、実施形態で説明したものに限るものではない。
例えば、この発明を、上記の書き込み制御部によって制御される光走査装置を備え、複数個の感光体ドラム上にそれぞれ形成される複数個の静電潜像を複数色のトナー（現像剤）で色版毎に現像し、その各色版のトナー画像（現像画像）を中間転写ベルト上に順次重ね合わせて転写することによりカラー画像形成を行う画像形成装置に適用した実施形態について説明したが、この発明はこれに限らない。
【００４４】
すなわち、上記の書き込み制御部によって制御される光走査装置を備え、１個の感光体ドラム上に順次形成される複数個の静電潜像を複数色のトナーで色版毎に順次現像し、その各色版のトナー画像を中間転写ベルト上に順次重ね合わせて転写することによりカラー画像形成を行う画像形成装置にもこの発明を適用可能である。
また、上記の光走査装置を備え、上記の感光体ドラムを感光体ベルトに、上記の中間転写ベルトを中間転写ドラムにした画像形成装置にも適用可能である。
さらに、上記の光走査装置を備えたモノクロ等の単色の画像形成装置や２色又は３色等の色数の画像形成装置にも、この発明を適用可能である。
さらにまた、画像形成装置以外の装置において用いる光走査装置や、そのレーザ光源に印加する電流を制御するレーザ制御装置にもこの発明を適用することができる。
また、以上説明してきた実施形態、動作例、および変形例の構成は、相互に矛盾しない限り任意に組み合わせて実施可能であることは勿論である。
【符号の説明】
【００４５】
１０：書き込み制御部    １１：制御部    １２：ＬＤドライバ    １３：記憶部
１４：ＬＤ    １００：画像形成装置    １０２：光走査装置
１０２ａ，１０２ｅ，１０２ｆ：反射ミラー    １０２ｂ：ｆθレンズ
１０２ｃ：ポリゴンミラー    １０２ｄ：ＷＴＬレンズ
１０４，１０６，１０８，１１０：作像プロセス部
１０４ａ，１０６ａ，１０８ａ，１１０ａ：感光体ドラム
１０４ｂ，１０６ｂ，１０８ｂ，１１０ｂ：帯電器
１０４ｃ，１０６ｃ，１０８ｃ，１１０ｃ：現像器    １１２：カラー作像部
１１４：中間転写ベルト    １１４ａ：搬送ローラ
１１８：２次転写ベルト    １２０：定着装置    １２２：転写部    １２４：記録媒体
１２６：搬送ローラ    １３２：印刷物    ２００：光源    ２１０：同期検知センサ
【先行技術文献】
【特許文献】
【００４６】
【特許文献１】特開２００９−１４３０５５号公報
【図１】
2014037119.tif 000003
【図２】
2014037119.tif 000004
【図３】
2014037119.tif 000005
【図４】
2014037119.tif 000006
【図５】
2014037119.tif 000007